(57)【特許請求の範囲】
【請求項１】
スポーツ用具のバー(B)、または自転車、オートバイのハンドルのバー(B)のための握り構造物であって、
-  使用者がつかむことのできる外面(6)とバー(B)に取りつけられるようになっている内面(7)とを有する、軸線(X)を定める管状本体(2)、
-  前記管状本体(2)をバー(B)に軸方向に動かないように固定するための第一の固定手段(3)、
を有し、
当該第一の固定手段(3)が、当該管状本体(2)の長さ方向の端(5、5´)に、少なくとも一対の締めつけ環(4、4´)を有する、握り構造物において、
前記管状本体(2)が、該管状本体(2)の全長を調節し、該管状本体(2)の全長をそれぞれの使用者の必要に合わせるために、前記軸線(X)に沿って同軸に互いに相互連結するのに適した複数のモジュール式環状要素(10、10´、10´´)を有すること、
当該モジュール式環状要素(10、10´、10´´)が、隣接モジュール式環状要素(10、10´、10´´)の面(11´´、11´´´)との接触連結のために、平坦な対向面(11、11´)を有すること、
当該管状本体(2)の長さ方向の端(5、5´)の当該締めつけ環(4、4´)が、当該管状本体(2)の回転を抑えるための第二の固定手段(13)によって、当該モジュール式環状要素(10、10´、10´´)に取りつけられること、そして、
当該第二の固定手段(13)が、当該締めつけ環(4、4´)の一つに取りつけられる長さ方向の端(15、15´、15´´)を有し、当該モジュール式環状要素(10、10´、10´´)に成形されている貫通穴(16、16´、16´´)に挿入されるようになっている少なくとも一対の平行な棒(14、14´、14´´)を有すること、
を特徴とする握り構造物。
【請求項２】
当該モジュール式環状要素(10、10´、10´´)が、同じ寸法を有することを特徴とする請求項1に記載の握り構造物。
【請求項３】
当該モジュール式環状要素(10、10´、10´´)が、使用者がつかむのに適した円筒形の周囲面(12、12´、12´´)を有することを特徴とする請求項1に記載の握り構造物。
【請求項４】
当該モジュール式環状要素(10、10´、10´´)が、少なくとも部分的には、皮革、模造皮、熱可塑性ポリマー樹脂、ゲルから成るグループから選択される材料で作られることを特徴とする請求項1に記載の握り構造物。
【請求項５】
当該締めつけ環(4、4´)のそれぞれが閉じておらず、接線方向のねじ(9、9´)によって閉じられる半径方向の開口部(8、8´)を有することを特徴とする請求項1に記載の握り構造物。
【請求項６】
当該締めつけ環(4、4´)のうち少なくとも一つが、当該開口部(8、8´)に対して直径方向反対側にある薄くしてある手段(20)を有することを特徴とする請求項5に記載の握り構造物。
【請求項７】
当該薄くしてある手段(20)が、前記締めつけ環(4、4´)に成形された少なくとも一つの貫通穴(18´´、25´´)を有することを特徴とする請求項6に記載の握り構造物。
【請求項８】
当該棒(14、14´、14´´)が、当該締めつけ環(4、4´)の他の一つに成形されている対応する貫通穴(18、18´、18´´)に挿入されるようになっているねじ付き自由端(17、17´、17´´)を有することを特徴とする請求項1に記載の握り構造物。
【請求項９】
互いに120°の間隔で配置された三本の当該棒(14、14´、14´´)を有することを特徴とする請求項8に記載の握り構造物。
【請求項１０】
当該棒(14、14´、14´´)の当該ねじ付き自由端(17、17´、17´´)に係合しうるねじ手段(19、19´、19´´)を有することを特徴とする請求項8に記載の握り構造物。
【請求項１１】
バー(B)と該バー(B)に取りつけられるグリップ手段とを有するスポーツ用具であって、
前記グリップ手段が、請求項1から10の中のいずれか一つに記載の握り構造物を有すること、
を特徴とするスポーツ用具。
【発明の詳細な説明】
【技術分野】
【０００１】
本発明は、スポーツおよびレジャー装備品の分野での用途を見出すものであり、特にスポーツ用具のためのカスタマイズできるモジュール式握り構造物に関する。
【０００２】
本発明の握り構造物は、スポーツ用具、たとえば非限定例として、自転車、オートバイ、その他のハンドルバー、および、重量挙げ、縄跳びの縄、トレッドミルのためのハンドルバーまたはバーベルへの取りつけに特に適したものである。
【背景技術】
【０００３】
スポーツ用具のグリップバー、特に自転車、オートバイ、その他のためのハンドルバーは、使用者が握りやすいハンドルを有するようにすることが公知である。
【０００４】
これらのハンドルは、通常、ハンドルバーに滑動できるように取りつけられて、該ハンドルバーの必要な位置に、一対の端要素を締めつけることにより固定されるようになっている本体を有する。
【０００５】
これらの公知の解決策の一つの欠点は、ハンドルバーに沿う本体の寸法およびハンドル全体としての寸法が一定であり、たとえば二人の異なる使用者の手の大きさに合わせるために、変えることができない、ということである。そのため、自転車を複数の使用者が使用するようになっている場合、使用者のうち何人かは正しくハンドルをつかむことができず、自分自身または他の道路使用者に傷害を与えうるという危険がある。
【０００６】
さらに、スポーツでの使用を意図する自転車の場合、必要に合わせて変えられる長さを有するハンドルバー握り(handlebar handle)により、自転車使用者が技量をより十分に発揮することが可能になりうる。
【０００７】
前記先行技術のハンドルのもう一つの欠点は、必要に合わせて変えられない長さを有するハンドルは美的に好ましくないと思われることがあり、特に好みのうるさい使用者はそう思うであろう、ということである。
【発明の開示】
【発明が解決しようとする課題】
【０００８】
本発明の一般的目的は、効率的で割合に経済的な握り構造物を提供することによって、前記欠点を克服することである。
【０００９】
本発明の一つの特定目的は、それぞれの使用者の必要に合わせるために、可変長さを有する握り構造物を提供することである。
【課題を解決するための手段】
【００１０】
前記目的およびその他の目的は、以下でより十分に説明するように、請求項1で定義するような握り構造物によって達成される。この握り構造物は、使用者がつかむことのできる外面とバーに簡単な操作で取りつけられるようになっている内面を有する、軸線を定める管状本体、および前記本体をバーに軸方向に動かないように固定するための第一の手段を有する。
【００１１】
本発明においては、前記管状本体が、軸線に沿って同軸に相互連結するのに適した複数のモジュール式環状要素を有する。
【００１２】
この独自の構成により、本発明の握り構造物においては、各使用者の必要に応じて管状グリップ本体の全長を調節することができる。
【００１３】
環状要素の数を変えることにより、管状グリップ本体および握り構造物全体の長さを、簡単かつ迅速に調節することができる。すなわち、この握り構造物はカスタマイズすることができる。
【００１４】
好ましくは、このモジュール式環状要素は、少なくとも一つの特殊成形側面を有することができ、この側面は、軸線に沿う重ね合わせが容易なように、隣接要素の相補的形状の側面との係合に適するようになっている。
【００１５】
前記側面は、本発明の特許請求の範囲を逸脱することなく、任意の形状を有することができ、相互連結を容易にする隆起やくぼみを有することができる、と理解すべきである。
【００１６】
さらに、管状本体は、本発明の特許請求の範囲を逸脱することなく、部分または全体が、前記モジュール式要素から成ることができる、と理解すべきである。たとえば、この管状本体は、所定の長さを有するセグメントとし、必要に応じて全長を調節するためにこのセグメントに連結される複数のモジュール式要素を有するようにすることができる。
【００１７】
本発明は、別の側面において、バーと該バーに取りつけられるグリップ手段とを有する請求項16に記載のスポーツ用具を提供する。このスポーツ用具は、前記グリップ手段が本明細書で開示し請求項に記載する握り構造物を有することを特徴としている。
【発明を実施するための最良の形態】
【００１８】
以下、添付の図面を参照しつつなされる、本発明の握り構造物の好ましい非排他的実施形態の詳細な説明により、本発明の特徴と利点がさらにはっきりするであろう。この実施形態は本発明の限定を意図しない単なる例である。
【００１９】
図面を参照すると、全体を数字1で示す本発明の握り構造物は、図1に示すようにスポーツ用具のグリップバーBに取りつけられるようになっている。
【００２０】
基本的には、構造物1は、軸線Xを定める管状本体2と、該本体をバー(B)に軸方向に動かないように固定する、全体を3、3´で示す第一の手段とを有する。この第一の手段は、管状本体2の長さ方向の端5、5´に配置された一対の締めつけ環4、4´を有する。
【００２１】
管状本体2は、使用者がつかむことのできる外面6と、握り構造物1の通常の使用時に、簡単な操作でバーBに取りつけられるようになっている内面7とを有する。
【００２２】
図2に明確に示すように、締めつけ環4、4´は閉じておらず、実質的に接線方向のねじ9、9´によって閉じられる実質的に半径方向の開口部8、8´を有する。
【００２３】
管状本体2は、該本体2の全長Lを調節するために軸線Xに沿って同軸相互連結されるようになっている複数のモジュール式環状要素10、10´、10´´を有し、これらの環状要素によって、それぞれの使用者の必要に合わせて、握り構造物1をカスタマイズすることができる。モジュール式要素10、10´、10´´…の数を変えることにより、管状本体2の全長Lを使用者の手の寸法に合わせることができる。
【００２４】
特に図3に明確に示すように、環状要素10、10´、10´´は、隣接環状要素の面11´´、11´´´に接合するようになっている実質的に平坦な対向面11、11´を有している。特に、要素10´の面11´は要素10´´の面11´´に接合し、要素10´の面11は要素10の面11´´´に接合する。
【００２５】
好ましくは、環状要素10、10´、10´´は実質的に同じ寸法を有する。しかし、本発明の特許請求の範囲を逸脱することなく、異なる寸法を有することができる、と理解すべきである。
【００２６】
使用者が容易につかめるように、環状要素10、10´、10´´のそれぞれは、使用者が容易につかむことができる円筒形周囲面12、12´、12´´を有する。しかし、本発明の特許請求の範囲を逸脱することのない他の任意の形状の周囲面を有することができる、と理解すべきである。
【００２７】
好ましくは、モジュール式要素10、10´、10´´は、部分または全体を、皮革、模造皮、熱可塑性ポリマー樹脂、ゲルから成るグループから選択される材料で作ることができる。
【００２８】
図面に示すような好ましい非排他的実施形態の場合、締めつけ環4、4´は、全体を数字13で示す第二の固定手段によって、環状要素10、10´、10´´に取りつけられている。この固定手段は、120°間隔で配置された三本の実質的に平行な棒14、14´、14´´から成る。
【００２９】
これらの棒は、本発明の特許請求の範囲を逸脱することなく、異なる数と配置で備えることができる、と理解すべきである。
【００３０】
各棒14、14´、14´´は、適当な穴25、25´、25´´によって締めつけ環4´に取りつけられる長さ方向の端15、15´、15´´を有し、また環状要素10、10´、10´´のそれぞれに形成されている貫通穴16、16´、16´´に挿入されるようになっている。
【００３１】
各棒14、14´、14´´は、ねじ付きのもう一方の自由端17、17´、17´´を有し、もう一つの締めつけ環4に形成されている対応する穴18、18´、18´´に挿入されるようになっている。
【００３２】
棒14、14´、14´´は、ねじ手段19、19´、19´´によって締めつけ環4に固定され、これらのねじ手段は、本体2の回転を抑えるために、ねじ付き端17、17´、17´´と係合するようになっている。
【００３３】
構造物1の製造の簡単化のために、棒14、14´、14´´は、自転車スポークの部分から成るようにすることができ、ねじ手段19、19´、19´´は自転車ニップルから成るようにすることができる。
【００３４】
好ましくは、締めつけ環4、4´は、全体を数字20で示す薄くしてある手段(thinning means)を有し、これらの手段は開口部8、8´の位置に対して実質的に直径方向反対側にある。これらの手段は、二つの半環30、30´の間の“蝶番作用”を生じ、バーBに最適の締めつけ作用を与えるのに適している。
【００３５】
図面に示す好ましい非排他的実施形態においては、薄くしてある手段20は、貫通穴18´´、25´´によって定められる。
【００３６】
しかし、本発明の特許請求の範囲を逸脱することなく、この薄くしてある手段は他の構成とすることができる、と理解すべきである。
【００３７】
以上の開示内容から明らかなように、本発明の握り構造物は、意図する目的を達成するものであり、特に、それぞれの使用者の必要に合わせることのできる、可変長の握り構造物を与えるという要件を満たすものである。
【００３８】
全長Lの調節のために軸線Xに沿って同軸相互連結するようになっている複数のモジュール式環状要素10、10´、10´´を有する環状本体2を備えることにより、握り構造物1は、それぞれの使用者の必要に合わせてカスタマイズすることができる。
【００３９】
本発明の握り構造物は、特許請求の範囲に示す発明的概念の範囲内で、多くの変形と変更を加えることができる。本発明の範囲を逸脱することなく、この握り構造物のすべての部品は、技術的に同等の他の部品で置き換えることができ、材料は、いろいろな必要に応じて、変えることができる。
【００４０】
以上、握り構造物を添付の図面に即して説明したが、明細書と特許請求の範囲で引用した数字は、本発明をわかりやすくするためだけのものであり、いかなる意味でも特許請求の範囲の限定を意図するものではない。
【図面の簡単な説明】
【００４１】
【図１】使用時の配置の本発明の握り構造物の不等角図である。
【図２】本発明の握り構造物の分解不等角図である。
【図３】図2の握り構造物の、面III−IIIに沿う分解断面図である。
【符号の説明】
【００４２】
1  握り構造物
2  管状本体
3  第一の固定手段
3´  第一の固定手段
4  締めつけ環
4´  締めつけ環
5  2の長さ方向の端
5´  2の長さ方向の端
6  2の外面
7  2の内面
8  開口部
8´  開口部
9  ねじ
9´  ねじ
10  モジュール式環状要素
10´  モジュール式環状要素
10´´  モジュール式環状要素
11  面
11´  面
11´´  面
11´´´  面
12  円筒形周囲面
12´  円筒形周囲面
12´´  円筒形周囲面
13  第二の固定手段
14  棒
14´  14に平行な棒
14´´  14に平行な棒
15  14の長さ方向の端
15´  14´の長さ方向の端
15´´  14´´の長さ方向の端
16  貫通穴
16´  貫通穴
16´´  貫通穴
17  14のねじ付き自由端
17´  14´のねじ付き自由端
17´´  14´´のねじ付き自由端
18  4の穴
18´  4の穴
18´´  4の穴
19  ねじ手段
19´  ねじ手段
19´´  ねじ手段
20  薄くしてある手段
25  貫通穴
25´  貫通穴
25´´  貫通穴
30  半環
30´  半環
B  グリップバー
L  2の全長
X  2の軸線
【図１】
0005518474.tif 000002
【図２】
0005518474.tif 000003
【図３】
0005518474.tif 000004